(57)【要約】【課題】ソフトウエアに関する情報を、条件によって異ならせて表示できる電子機器を提供する。【解決手段】本発明は、表示部２１と、アプリケーションソフトウエア２１０を示すアプリ情報を表示部２１に表示させ、アプリケーションソフトウエア２１０を起動させる制御部と、を備える。前記制御部は、前記アプリ情報が選択されると、当該選択の条件に応じて、前記アプリ情報に対応した複数の情報の中から、前記条件に応じた情報を表示部２１に表示させ、当該情報は、アプリケーションソフトウエア２１０を想起させるものである。【選択図】図３
2013066217.tif 000002
【特許請求の範囲】
【請求項１】
表示部と、
アプリケーションソフトウエアを示すアプリ情報を前記表示部に表示させ、前記アプリケーションソフトウエアを起動させる制御部と、
を備え、
前記制御部は、前記アプリ情報が選択されると、当該選択の条件に応じて、前記アプリ情報に対応した複数の情報の中から、前記条件に応じた情報を前記表示部に表示させ、
当該情報は、前記アプリケーションソフトウエアを想起させるものであることを特徴とする電子機器。
【請求項２】
前記選択の条件は、現在の日時または位置情報の条件である請求項１に記載の電子機器。
【発明の詳細な説明】
【技術分野】
【０００１】
本発明は、携帯電話機などの電子機器に関する。
【背景技術】
【０００２】
近年市場に流通している携帯電話機には、様々な種類のアプリケーションソフトウエア（以下単に「ソフトウエア」又は「アプリ」ともいう）が搭載されている。それらのソフトウエアを使いこなしたい場合には、ユーザは、それら全てのソフトウエアの使用用途、使用方法などを学習しなければならないという問題がある。
【０００３】
前述した問題を解決するために、例えば、下記特許文献１に記載された技術が提案されている。この技術は、ソフトウエアを選択する画面（「選択メニュー画面」、「メインメニュー画面」などと呼ばれる）において、ソフトウエアを表すアプリ情報（典型的には「アイコン」）がカーソルによって選択された場合に、当該アプリ情報に対応するソフトウエアの説明を表示する技術である。なお、ソフトウエアは、アプリ情報がカーソルによって選択されただけでは起動せず、アプリ情報が選択された状態で所定の起動指示操作が行われることによって実際に起動する。
【先行技術文献】
【特許文献】
【０００４】
【特許文献１】特開２００１−３２６７１４号公報
【発明の概要】
【発明が解決しようとする課題】
【０００５】
しかしながら、特許文献１に記載された技術によれば、ソフトウエアごとに固有の（１種類の）の説明しか、ユーザに提供することができない。図１１（ａ）は、従来の携帯電話機におけるメインメニュー画面Ｍ１を示す図で、図１１（ｂ）は、アプリの起動画面Ｍ２を示す図である。なお、図１１（ａ）において、「医学事典」アプリの表示Ｍ１２ａが他のアプリの表示Ｍ１２よりも一回り大きく表示されているのは、９個のアプリ情報（「赤外線」、「カメラ」などのアプリ情報）Ｍ１２のうち、「医学事典」アプリの表示Ｍ１２ａが選択されていること意味する。
【０００６】
図１１（ａ）に示すように、メインメニュー画面Ｍ１は、アプリ情報Ｍ１２が表示されるアプリ情報群表示領域Ｍ１１と、文言を表示する文言表示領域Ｍ１３とを有する。
メインメニュー画面Ｍ１において、あるアプリ情報Ｍ１２が選択されると、そのアプリ情報Ｍ１２に対応する固有の文言が表示される。例えば、「医学事典」アプリの表示Ｍ１２ａが選択された場合には、「医学事典」に対応する文言として「医学について調べることができます。」と表示される。
【０００７】
一方、図１１（ｂ）に示すように、「医学事典」アプリの表示Ｍ１２ａが選択された状態で起動指示操作を行い、「医学事典」アプリを起動させた場合には、アプリ起動画面Ｍ２には、アプリを起動させた条件（日時など）に応じて異なる文言（「可変文言」ともいう）が表示される。例えば、アプリを起動させた日が「立冬」である場合には、立冬に対応する可変文言として、「今日は立冬です。風邪に気をつけて！」と表示される。
【０００８】
しかしながら、例えば、「医学事典」アプリに対応する可変文言は、ユーザによってそのアプリが起動されない限り、表示されない。従って、ユーザは、前述した可変文言を携帯電話機の表示部に表示させたいと欲したときには、アプリを起動させなければならなかった。つまり、ユーザがアプリを起動させるという動作が必ず必要となる。その結果、ユーザがアプリを起動させる度に、ユーザはそのアプリ（ソフトウエア）が起動されるまで待たなければいけないという問題があった。
【０００９】
従って、本発明は、ソフトウエアの選択画面においてソフトウエアを起動させなくても、当該ソフトウエアに関する情報を、条件によって異ならせて表示させることができる電子機器を提供することを目的とする。
【課題を解決するための手段】
【００１０】
本発明は、操作部と、表示部と、アプリケーションソフトウエアを示すアプリ情報を前記表示部に表示させるソフトウエア情報表示部と、前記ソフトウエア情報表示部によって前記表示部に表示された前記アプリケーションソフトウエアを示す前記アプリ情報が、前記操作部での操作によって選択された状態で、前記操作部での起動指示操作によって前記アプリケーションソフトウエアを起動させるソフトウエア起動部と、前記アプリケーションソフトウエアに対応付けられた関連情報を記憶する記憶部と、前記操作部での操作によって前記表示部に表示された前記アプリ情報が選択されているときに、選択された前記アプリ情報に対応する前記アプリケーションソフトウエアに対応付けられて前記記憶部に記憶されている前記関連情報を、所定の条件に基づき選択する関連情報選択部と、前記関連情報選択部によって選択された前記関連情報を前記表示部に表示させる関連情報表示部と、を備えることを特徴とする電子機器に関する。
【００１１】
また、前記関連情報の内容は、該関連情報に対応する前記アプリケーションソフトウエアを想起させる内容であることが好ましい。
【発明の効果】
【００１２】
本発明によれば、ソフトウエアの選択画面においてソフトウエアを起動させなくても、当該ソフトウエアに関する情報を、条件によって異ならせて表示させることができる。
【図面の簡単な説明】
【００１３】
【図１】開いた状態における第１実施形態の携帯電話機１を示す正面斜視図である。
【図２】第１実施形態の携帯電話機１の回路ブロック図である。
【図３】第１実施形態の携帯電話機１における文言データの表示処理に係る機能の機能ブロック図である。
【図４】（ａ）はメインメニュー画面Ｍ１を示す図、（ｂ）は「医学事典」アプリに係る可変文言ＤＢ２２０を示す図、（ｃ）は「医学事典」アプリの起動画面Ｍ２を示す図である。
【図５】（ａ）はメインメニュー画面Ｍ１を示す図、（ｂ）は「占い」アプリに係る可変文言ＤＢ２２０を示す図、（ｃ）は「占い」アプリの起動画面を示す図である。
【図６】第１実施形態の携帯電話機１における、メインメニュー画面Ｍ１への可変文言の表示処理の一例を示す図である。
【図７】第２実施形態の携帯電話機１’における文言データの表示処理に係る機能の機能ブロック図（図３対応図）である。
【図８】第２実施形態の携帯電話機１’における、メインメニュー画面Ｍ１への可変文言の表示処理の一例を示す図（図６対応図）である。
【図９】第３実施形態の携帯電話機１”における文言データの表示処理に係る機能の機能ブロック図（図３対応図）である。
【図１０】第３実施形態の携帯電話機１”における、メインメニュー画面Ｍ１への可変文言の表示処理の一例を示す図（図６対応図）である。
【図１１】（ａ）は、従来の携帯電話機におけるメインメニュー画面Ｍ１を示す図で、（ｂ）は、アプリの起動画面Ｍ２を示す図である。
【発明を実施するための形態】
【００１４】
以下、図面を参照して本発明を実施するための最良の形態について説明する。
図１及び図２により、本発明の第１実施形態である携帯電話機１の基本構成について説明する。図１は、開いた状態における第１実施形態の携帯電話機１を示す正面斜視図である。図２は、第１実施形態の携帯電話機１の回路ブロック図である。
【００１５】
図１に示すように、携帯電話機１は、操作部側筐体２と、表示部側筐体３とを備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、連結部４を介して連結された操作部側筐体２と表示部側筐体３とを相対的に動かすことが可能となる。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１６】
操作部側筐体２は、その外面がフロントケース２ａとリアケース２ｂとにより構成される。操作部側筐体２は、フロントケース２ａ側に、操作部である操作キー群１１と、携帯電話機１の使用者が通話時に発した音声が入力されるマイクとしてのマイク１２とがそれぞれ露出するように構成される。
【００１７】
操作キー群１１は、各種設定、電話帳機能、メール機能等の各種機能を作動させるための機能設定操作キー１３と、電話番号の数字、メール等の文字等を入力するための入力操作キー１４と、各種操作における決定、上下左右方向のスクロール等を行う操作部材としての決定操作キー１５とにより構成される。決定操作キー１５は、主としてスクロール操作を行う環状キー１５ａと、主として決定操作を行う円状キー１５ｂとにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１８】
マイク１２は、操作部側筐体２の長手方向における連結部４側と反対の外端部側に配置される。つまり、マイク１２は、携帯電話機１が開状態において、操作部側筐体２の一方の外端部側に配置される。
【００１９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキー１６と、外部メモリの挿入及び取り出しが行われるインターフェース（図示せず）とが配置される。インターフェースは、キャップ１７により覆われている。
【００２０】
表示部側筐体３は、その外面がフロントケース３ｂとリアケース３ｃとにより構成される。表示部側筐体３におけるフロントケース３ｂには、各種表示が表示される表示部としてのＬＣＤ表示部２１と、通話の相手側の音声を出力するレシーバとしてのスピーカ２２と、が露出するように配置される。
ＬＣＤ表示部２１は、液晶パネルと、この液晶パネルを駆動する駆動回路と、この液晶パネルの背面側から光を照射するバックライト等の光源部とにより構成される。
【００２１】
次に、図２により、携帯電話機１の回路構成について説明する。
図２に示すように、操作部側筐体２には、操作キー群１１と、マイク１２と、メインアンテナ４０と、ＲＦ回路部４１と、ＬＣＤ制御部４２と、音声処理部４３と、記憶部であるメモリ４４と、ＣＰＵ４５と、電源部４６と、制御ＩＣ４７とが配置される。また、表示部側筐体３には、ＬＣＤ表示部２１と、スピーカ２２と、ドライバＩＣ２５とが配置される。
【００２２】
無線通信部を構成するメインアンテナ４０は、所定の使用周波数帯（例えば、８００ＭＨｚ）で外部装置と通信を行う。メインアンテナ４０により、音声通話の他、電子メールの送受信が行われる。
【００２３】
なお、本実施形態では、所定の使用周波数帯を８００ＭＨｚとしたが、異なる他の周波数帯であってもよい。また、メインアンテナ４０は、所定の使用周波数帯だけでなく、他の使用周波数帯（例えば、２ＧＨｚ）にも対応できるいわゆるデュアルバンド対応型による構成であってもよい。
【００２４】
ＲＦ回路部４１は、メインアンテナ４０によって受信した信号を復調処理し、処理後の信号をＣＰＵ４５に供給すると共に、ＣＰＵ４５から供給された信号を変調処理し、メインアンテナ４０を介して外部装置（基地局）に送信するように構成される。
【００２５】
ＣＰＵ４５は、携帯電話機１の全体を制御する。ＣＰＵ４５は、特に、ＲＦ回路部４１、ＬＣＤ制御部４２及び音声処理部４３に対して所定の制御を行う。ＣＰＵ４５は、前述のように各部を制御すると共に、後述するように、関連情報の一例である文言データの表示処理などを行う。ＣＰＵ４５による文言データの処理機能の詳細については後述する。
【００２６】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングでＬＣＤ表示部２１に出力する。
【００２７】
ＬＣＤ表示部２１は、ドライバＩＣ２５から入力されたデータに基づいて、所定の文字や画像を表示する。ＬＣＤ表示部２１には、ＣＰＵ４５の制御にしたがって、メインメニュー画面Ｍ１（図４（ａ）、図５（ａ）参照）を含む各種メニュー画面、各種ソフトウエア（アプリ）の起動画面（図４（ｃ）、図５（ｃ）参照）などが表示される。
【００２８】
メモリ４４には、所定のデータが記憶されている。具体的には、メモリ４４には、各種機能プログラムや通信時に利用されるアドレス情報等の他、各種データが記憶される。記憶されるデータには、後述する可変文言ＤＢ２２０（図３参照）がある。
【００２９】
音声処理部４３は、ＣＰＵ４５の制御にしたがって、ＲＦ回路部４１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号をＲＦ回路部４１に出力する。ＲＦ回路部４１は、音声処理部４３から入力された信号に所定の処理を行うと共に、処理が行われた信号をメインアンテナ４０に出力する。
【００３０】
電源部４６は、バッテリを有して構成される。バッテリは、所定容量を有するリチウムイオン電池からなる。制御ＩＣ４７は、電源部４６から供給される電源電圧を所定の電源電圧に変換し、変換後の電源電圧を携帯電話機１における各部（例えば、ＣＰＵ４５等）に供給する。
【００３１】
次に、図３から図５を参照しながら、メモリ４４の構成並びにＣＰＵ４５の構成及び動作について説明する。図３は、第１実施形態の携帯電話機１における文言データの表示処理に係る機能の機能ブロック図である。図４（ａ）はメインメニュー画面Ｍ１を示す図、図４（ｂ）は「医学事典」アプリに係る可変文言ＤＢ２２０を示す図、図４（ｃ）は「医学事典」アプリの起動画面Ｍ２を示す図である。図５（ａ）はメインメニュー画面Ｍ１を示す図、図５（ｂ）は「占い」アプリに係る可変文言ＤＢ２２０を示す図、図５（ｃ）は「占い」アプリの起動画面を示す図である。
【００３２】
図３に示すように、メモリ４４は、可変文言ＤＢ２２０を備える。可変文言ＤＢ２２０には、アプリケーションソフトウエアそれぞれに対応付けられた少なくとも一つ以上の文言データが記憶（収納）されている。文言データは、本発明における関連情報の一例である。文言データの内容は、文言データに対応するアプリケーションソフトウエアを想起させる内容であることが好ましい。「アプリケーションソフトウエアを想起させる内容」の具体例としては、後述するように、「医学事典」アプリにおける「風邪」、「占い」アプリにおける「大吉」などが挙げられる。
【００３３】
図３に示すように、ＣＰＵ４５は、メインメニューに係る処理を行うメインメニューソフトウエア２００と、メインメニューソフトウエア２００によって呼び出されるアプリケーションソフトウエア（以下単に「ソフトウエア」又は「アプリ」ともいう）２１０とを備える。
【００３４】
メインメニューソフトウエア２００は、ソフトウエア情報表示部２０１と、ソフトウエア選択部２０２と、ソフトウエア起動部２０３と、関連情報選択部としての文言データ選択部２０４と、関連情報表示部としての文言データ表示部２０５とを備える。アプリ２１０は、アプリ制御部２１１と、呼出し番号通知部２１２と、呼出し番号決定部２１３とを備える。
【００３５】
メインメニューソフトウエア２００について説明する。
図４（ａ）及び図５（ａ）に示すように、ソフトウエア情報表示部２０１は、アプリ２１０を表すアプリ情報Ｍ１２をＬＣＤ表示部２１に表示させる。アプリ情報Ｍ１２は、メインメニュー画面Ｍ１の一部を構成する。
メインメニュー画面Ｍ１における上部及び中央部は、アプリ情報群表示領域Ｍ１１となっている。アプリ情報群表示領域Ｍ１１には、９個のアプリ情報Ｍ１２が表示されている。アプリ情報Ｍ１２には、「医学事典」ソフトウエア（アプリ）の表示Ｍ１２ａや、「占い」ソフトウエア（アプリ）の表示Ｍ１２ｂが含まれる。
【００３６】
図４（ａ）は、「医学事典」アプリの表示Ｍ１２ａが選択されている状態を示しており、図５（ａ）は、「占い」アプリの表示Ｍ１２ｂが選択されている状態を示している。なお、図４（ａ）及び図５（ａ）においては、選択されている状態のアプリ情報Ｍ１２について、当該表示Ｍ１２が選択されている状態（選択状態）であることを示すために、選択されていない状態のアプリ情報Ｍ１２よりも大きく示している。
【００３７】
メインメニュー画面Ｍ１における下部は、文言表示領域Ｍ１３となっている。文言表示領域Ｍ１３には、選択状態におけるアプリ情報Ｍ１２に関する可変文言が表示される。例えば、図４（ａ）に示すように、「医学事典」アプリが選択されている状態においては、文言表示領域Ｍ１３には、医学事典に関連する文言として、「今日は立冬です。風邪に気をつけて！」という文言が表示される。また、図５（ａ）に示すように、「占い」アプリが選択されている状態においては、文言表示領域Ｍ１３には、占いに関連する文言として、「今日の運勢は大吉です。」という文言が表示される。
【００３８】
メモリ４４における可変文言ＤＢ２２０は、アプリ情報Ｍ１２それぞれに対応して設けられる。例えば、図４（ｂ）に示すように、「医学事典」アプリに対応する可変文言ＤＢ２２０には、医学事典に関連する文言データが記憶されている。例えば、呼出し番号「１」に対応する文言データとして「今日は立冬です。風邪に気をつけて！」という文言データが記憶されている。また、図５（ｂ）に示すように、「占い」アプリに対応する可変文言ＤＢ２２０には、占いに関連する文言データが記憶されている。例えば、呼出し番号「１」に対応する文言データとして「今日の運勢は大吉です。」という文言データが収納されている。
【００３９】
ソフトウエア選択部２０２は、ソフトウエア情報表示部２０１によってＬＣＤ表示部２１に表示されたアプリ情報Ｍ１２を、操作キー群１１に受け付けられた操作によって選択可能とする。ソフトウエア選択部２０２は、決定操作キー１５の環状キー１５ａの操作に応じて、カーソルを移動させ、カーソルが位置するアプリ情報Ｍ１２を選択する。なお、アプリ情報Ｍ１２を選択しただけでは、当該アプリ情報Ｍ１２に対応するアプリ２１０は起動しない。
【００４０】
ソフトウエア起動部２０３は、ソフトウエア選択部２０２によってアプリ情報Ｍ１２が選択された状態で、操作キー群１１での起動指示操作によってアプリケーションソフトウエアを起動させる。ソフトウエア起動部２０３は、アプリ情報Ｍ１２が選択された状態で決定操作キー１５の円状キー１５ｂによる決定操作が行われると、当該アプリ情報Ｍ１２に対応するアプリ２１０を起動させる。
【００４１】
文言データ選択部２０４は、操作部１１での操作によってＬＣＤ表示部２１に表示されたアプリ情報Ｍ１２が選択されているときに、選択されたアプリ情報Ｍ１２に対応するアプリケーションソフトウエア２１０に対応付けられてメモリ４４に記憶されている所定の文言データを、所定の条件に基づき選択する。
例えば、文言データ選択部２０４は、ソフトウエア選択部２０２によってアプリ情報Ｍ１２が選択されたときに、その時点における所定の条件に基づいて、選択されたアプリ情報Ｍ１２に対応して、記憶部４４に記憶されている文言データの中から所定の文言データを選択する。
「所定の条件」の例については、後述する第１実施形態の携帯電話機１における文言データの表示処理の説明において詳述する。「所定の文言データ」としては、例えば、前述した「今日は立冬です。風邪に気をつけて！」が挙げられる。
【００４２】
文言データ選択部２０４は、所定の文言データを決定するためのロジックを有していない。所定の文言データを決定するためのロジックは、後述するアプリ２１０における呼出し番号決定部２１３に依存している。文言データ選択部２０４は、後述する呼出し番号通知部２１２に可変文言の呼出し番号を要求する。
【００４３】
文言データ表示部２０５は、文言データ選択部２０４によって選択された所定の文言データをＬＣＤ表示部２１に表示させる。具体的には、図４（ａ）及び図５（ａ）に示すように、文言データ表示部２０５は、メインメニュー画面Ｍ１の文言表示領域Ｍ１３に所定の文言データを表示させる。
【００４４】
アプリ２１０について説明する。
アプリ制御部２１１は、アプリ２１０の全体を制御する。特に、アプリ制御部２１１は、ＬＣＤ表示部２１におけるアプリ起動画面（アプリ２１０の起動画面）Ｍ２に所定の表示を行う他、アプリ２１０における所定の制御を行う。
アプリ制御部２１１は、アプリ起動画面Ｍ２に可変文言を表示させる場合に、呼出し番号決定部２１３に対して呼出し番号の決定を要求する。
【００４５】
呼出し番号通知部２１２は、メインメニューソフトウエア２００における文言データ選択部２０４から可変文言の呼出し番号を要求されると、呼出し番号決定部２１３に対して呼出し番号の決定を要求する。
【００４６】
呼出し番号決定部２１３は、所定の文言データに対応する呼出し番号を決定する。例えば、アプリが「医学事典」アプリであり、現在の日にちに対応して所定の文言データを選択するロジックを有している場合において、現在の日にちが「立冬」であるときには、呼出し番号決定部２１３は、医学事典及び立冬に関する文言データとして、呼出し番号「１」を決定する（図４（ｂ）参照）。
また、アプリが「占い」アプリであり、現在の日時に基づいてランダムに「吉凶」を選択するロジックを有している場合には、呼出し番号決定部２１３は、占いに関する文言データとして、呼出し番号「１」を決定する（図５（ｂ）参照）。
【００４７】
アプリ起動画面Ｍ２について説明する。
メインメニュー画面Ｍ１のアプリ情報群表示領域Ｍ１１において、「医学事典」アプリの表示Ｍ１２ａを選択し、「医学事典」アプリを起動させると、ＬＣＤ表示部２１には、図４（ｃ）に示すように、「医学事典」アプリの起動画面Ｍ２が表示される。「医学事典」アプリの起動画面Ｍ２の上部Ｍ２１には、メインメニュー画面Ｍ１と同じく、医学事典に関連する文言として「今日は立冬です。風邪に気をつけて！」という文言が表示される。また、「医学事典」アプリの起動画面の下部Ｍ２２には、「医学事典」アプリの選択項目として、「病気一覧」及び「健康チェック」の項目が一覧状態で表示される。
【００４８】
また、メインメニュー画面Ｍ１において、「占い」アプリの表示Ｍ１２ｂを選択し、「占い」アプリを起動させると、ＬＣＤ表示部２１には、図５（ｃ）に示すように、「占い」アプリの起動画面Ｍ２が表示される。「占い」アプリの起動画面Ｍ２の上部Ｍ２１には、メインメニュー画面Ｍ１と同じく、占いに関連する文言として「今日の運勢は大吉です。」という文言が表示される。また、「占い」アプリの起動画面Ｍ２の下部Ｍ２２には、「占い」アプリの選択項目として、「星座占い」及び「誕生日占い」の項目が一覧状態で表示される。
【００４９】
次に、図３、図６などを参照しながら、メインメニュー画面Ｍ１への可変文言の表示処理の一例について説明する。図６は、第１実施形態の携帯電話機１における、メインメニュー画面Ｍ１への可変文言の表示処理の一例を示す図である。
本処理例は、メインメニュー画面Ｍ１における「医学事典」アプリの表示を選択した状態において、メインメニュー画面Ｍ１の文言表示領域Ｍ１３に、医学事典に関連する可変文言を表示させる処理例である。
【００５０】
図３及び図４（ａ）に示すように、ＬＣＤ表示部２１には、メインメニューソフトウエア２００のソフトウエア情報表示部２０１によってメインメニュー画面Ｍ１が表示されている。ユーザは、操作キー群１１を操作してアプリ情報Ｍ１２を選択するためのカーソルを、「医学事典」アプリの表示Ｍ１２ａに位置させる。カーソルが当該表示Ｍ１２ａに配置されると、図６に示すように、メインメニューソフトウエア２００のソフトウエア選択部２０２は、カーソルが位置する「医学事典」アプリの表示Ｍ１２ａを選択する（ステップＳ１０１）。
【００５１】
図３及び図６に示すように、メインメニューソフトウエア２００の文言データ選択部２０４は、ソフトウエア選択部２０２によって選択された「医学事典」アプリの表示Ｍ１２ａに基づいて、「医学事典」アプリ２１０の呼出し番号通知部２１２に、可変文言の呼出し番号を要求する（ステップＳ１０２）。
【００５２】
「医学事典」アプリ２１０の呼出し番号通知部２１２は、メインメニューソフトウエア２００の文言データ選択部２０４からの可変文言の呼出し番号の要求に対して、該当する呼出し番号をメインメニューソフトウエア２００の文言データ選択部２０４に通知する（ステップＳ１０３）。
詳細には、「医学事典」アプリ２１０の呼出し番号通知部２１２は、文言データ選択部２０４から可変文言の呼出し番号を要求されると、呼出し番号決定部２１３に対して呼出し番号の決定を要求する。呼出し番号決定部２１３は、呼出し番号通知部２１２から呼出し番号の決定を要求されると、所定のロジックに基づき、呼出し番号を決定すると共に、決定された呼出し番号を呼出し番号通知部２１２に通知する。呼出し番号通知部２１２は、決定された呼出し番号を文言データ選択部２０４に通知する。前述したように、本実施形態においては、呼出し番号決定部２１３は、現在の日にちに対応して所定の文言データを選択するロジックを有している。従って、本処理例においては、呼出し番号通知部２１２は、医学事典及び立冬に関連する文言に対応する呼出し番号「１」を通知する（図４（ｂ）参照）。
【００５３】
続いて、メインメニューソフトウエア２００の文言データ選択部２０４は、可変文言ＤＢ２２０にアクセスし、呼出し番号「１」に基づいて、対応する可変文言データを取得する。本処理例においては、文言データ選択部２０４は、呼出し番号「１」に対応する「今日は立冬です。風邪に気をつけて！」という可変文言を取得する（ステップＳ１０４）。
【００５４】
メインメニューソフトウエア２００の文言データ表示部２０５は、文言データ選択部２０４によって取得された可変文言「今日は立冬です。風邪に気をつけて！」をＬＣＤ表示部２１に表示させる（ステップＳ１０５）。これにより、ユーザは、メインメニュー画面Ｍ１の文言表示領域Ｍ１３において当該可変文言を視認することができる。
【００５５】
次に、ユーザが「医学事典」アプリを起動させた場合における可変文言の表示処理について説明する。
ユーザは、操作キー群１１を操作してアプリ情報Ｍ１２を選択するためのカーソルを、「医学事典」アプリ２１０の表示Ｍ１２ａに位置させ、当該表示Ｍ１２ａを選択する。そして、「医学事典」アプリ２１０の表示Ｍ１２ａの起動指示操作を行うと、「医学事典」アプリ２１０が起動する（ステップＳ１０６）。
【００５６】
「医学事典」アプリ２１０の起動後、アプリ制御部２１１は、呼出し番号決定部２１３に対して呼出し番号の決定を要求する。呼出し番号決定部２１３は、アプリ制御部２１１から呼出し番号の決定を要求されると、所定のロジックに基づき、呼出し番号を決定すると共に、決定された呼出し番号をアプリ制御部２１１に通知する。本処理例においては、呼出し番号決定部２１３は、医学事典及び立冬に関連する文言に対応する呼出し番号「１」を決定する（図４（ｂ）参照）。
【００５７】
続いて、アプリ制御部２１１は、可変文言ＤＢ２２０にアクセスし、呼出し番号に基づいて、対応する可変文言を取得する。ここでは、呼出し番号「１」に対応する「今日は立冬です。風邪に気をつけて！」という文言を取得する（ステップＳ１０７）。
【００５８】
アプリ制御部２１１は、取得された可変文言（「今日は立冬です。風邪に気をつけて！」）をＬＣＤ表示部２１に表示させる（ステップＳ１０８）。これにより、ユーザは、アプリ起動画面Ｍ２において当該可変文言を視認することができる。
【００５９】
以上の説明のように、第１実施形態の携帯電話機１によれば、選択状態のアプリ情報に関連する可変文言を、当該アプリ情報に対応するソフトウエアを起動させなくても、メインメニュー画面Ｍ１の文言表示領域Ｍ１３に表示させることができる。つまり、ユーザは、ソフトウエアの起動時間を待つことなく、ソフトウエアに関連する文言を視認することができるので、ユーザビリティが向上する。しかも、メインメニュー画面Ｍ１に表示される文言を、アプリ情報Ｍ１２が選択された時点における条件に基づいて、異ならせることができる。
【００６０】
また、第１実施形態の携帯電話機１においては、所定の文言データの内容は、所定の文言データに対応するアプリを想起させる内容であるため、所定の文言データによって、選択されたアプリ情報に対応するアプリの説明を行うことができる。
【００６１】
また、第１実施形態の携帯電話機１においては、文言データ選択部２０４はメモリ４４から所定の文言データと取得するが、起動されたアプリはメモリ４４から所定の文言データを取得しない。そのため、メモリ４４に記憶された文言データを更新する場合に、変更すべきデータが少ない。そのため、例えば、無線通信にて携帯電話機における文言データを更新する場合に、伝送するデータの容量を少なくすることができる。
【００６２】
次に、本発明の他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様の効果が奏される。
【００６３】
図７は、第２実施形態の携帯電話機１’における文言データの表示処理に係る機能の機能ブロック図（図３対応図）である。図８は、第２実施形態の携帯電話機１’における、メインメニュー画面Ｍ１への可変文言の表示処理の一例を示す図（図６対応図）である。
【００６４】
第２実施形態の携帯電話機１’は、第１実施形態の携帯電話機１に比して、呼出し番号決定部２０６及び呼出し番号通知部２０７が、メインメニューソフトウエア２００側に設けられており、アプリ２１０側に設けられていない点が主として異なる。また、これに起因して、メインメニューソフトウエア２００の文言データ選択部２０４及びアプリ２１０のアプリ制御部２１１における呼出し番号を取得する処理が異なる。その他の構成は、第１実施形態と同様である。
【００６５】
図７に示すように、第２実施形態の携帯電話機１’におけるメインメニューソフトウエア２００は、ソフトウエア情報表示部２０１、ソフトウエア選択部２０２、ソフトウエア起動部２０３、文言データ選択部２０４及び文言データ表示部２０５に加えて、呼出し番号決定部２０６及び呼出し番号通知部２０７を備える。第２実施形態における呼出し番号決定部２０６及び呼出し番号通知部２０７は、それぞれ第１実施形態における呼出し番号決定部２１３及び呼出し番号通知部２１２と同様の構成を有するため、その構成の説明を省略する。
一方、アプリ２１０は、アプリ制御部２１１を備えているが、呼出し番号通知部及び呼出し番号決定部を備えていない。
【００６６】
次に、図７、図８などを参照しながら、第２実施形態におけるメインメニュー画面Ｍ１への可変文言の表示処理の一例について説明する。
図７及び図４（ａ）に示すように、ＬＣＤ表示部２１には、メインメニューソフトウエア２００のソフトウエア情報表示部２０１によってメインメニュー画面Ｍ１が表示されている。ユーザは、操作キー群１１を操作してアプリ情報Ｍ１２を選択するためのカーソルを、「医学事典」アプリの表示Ｍ１２ａに位置させる。カーソルが当該表示Ｍ１２ａに位置すると、図８に示すように、メインメニューソフトウエア２００のソフトウエア選択部２０２は、カーソルが位置する「医学事典」アプリの表示Ｍ１２ａを選択する（ステップＳ２０１）。
【００６７】
図７及び図８に示すように、メインメニューソフトウエア２００の文言データ選択部２０４は、ソフトウエア選択部２０２によって選択された「医学事典」アプリの表示Ｍ１２ａに基づいて、呼出し番号決定部２０６に、可変文言の呼出し番号の決定を要求する。呼出し番号決定部２０６は、文言データ選択部２０４からの可変文言の呼出し番号の決定の要求に対して、該当する呼出し番号を文言データ選択部２０４に通知する。本処理例においては、文言データ選択部２０４は、医学事典及び立冬に関連する文言に対応する呼出し番号「１」を通知する（図４（ｂ）参照）。
【００６８】
続いて、メインメニューソフトウエア２００の文言データ選択部２０４は、可変文言ＤＢ２２０にアクセスし、呼出し番号「１」に基づいて、対応する可変文言データを取得する（ステップＳ２０２）。本処理例においては、文言データ選択部２０４は、呼出し番号「１」に対応する「今日は立冬です。風邪に気をつけて！」という可変文言を取得する。
【００６９】
メインメニューソフトウエア２００の文言データ表示部２０５は、文言データ選択部２０４によって取得された可変文言「今日は立冬です。風邪に気をつけて！」をＬＣＤ表示部２１に表示させる（ステップＳ２０３）。これにより、ユーザは、メインメニュー画面Ｍ１の文言表示領域Ｍ１３において当該可変文言を視認することができる。
【００７０】
次に、ユーザが「医学事典」アプリを起動させた場合における可変文言の表示処理について説明する。
ユーザは、操作キー群１１を操作してアプリ情報Ｍ１２を選択するためのカーソルを、「医学事典」アプリ２１０の表示Ｍ１２ａに位置させ、当該表示Ｍ１２ａを選択する。そして、「医学事典」アプリ２１０の表示Ｍ１２ａの起動指示操作を行うと、「医学事典」アプリ２１０が起動する（ステップＳ２０４）。
【００７１】
「医学事典」アプリ２１０の起動後、アプリ制御部２１１は、メインメニューソフトウエア２００の呼出し番号通知部２０７に、可変文言の呼出し番号を要求する（ステップＳ２０５）。詳細には、メインメニューソフトウエア２００の呼出し番号通知部２０７は、アプリ制御部２１１から可変文言の呼出し番号を要求されると、呼出し番号決定部２０６に対して呼出し番号の決定を要求する。呼出し番号決定部２０６は、呼出し番号通知部２０７から呼出し番号の決定を要求されると、所定のロジックに基づき、呼出し番号を決定すると共に、決定された呼出し番号を呼出し番号通知部２０７に通知する。
【００７２】
メインメニューソフトウエア２００の呼出し番号通知部２０７は、決定された呼出し番号をアプリ２１０のアプリ制御部２１１に通知する（ステップＳ２０６）。本処理例においては、呼出し番号通知部２０７は、医学事典及び立冬に関連する文言に対応する呼出し番号「１」を通知する（図４（ｂ）参照）。
【００７３】
続いて、アプリ２１０のアプリ制御部２１１は、可変文言ＤＢ２２０にアクセスし、呼出し番号に基づいて、対応する可変文言を取得する（ステップＳ２０７）。ここでは、呼出し番号「１」に対応する「今日は立冬です。風邪に気をつけて！」という文言を取得する。
【００７４】
アプリ２１０のアプリ制御部２１１は、取得された可変文言（「今日は立冬です。風邪に気をつけて！」）をＬＣＤ表示部２１に表示させる（ステップＳ２０８）。これにより、ユーザは、アプリ起動画面Ｍ２において当該可変文言を視認することができる。
【００７５】
以上の説明のように、第２実施形態の携帯電話機１’によれば、第１実施形態の携帯電話機１と同様の効果が奏される。また、第１実施形態とは異なり、アプリ２１０を全く起動させることなく（アプリ２１０に対して可変文言の呼出し番号の要求を行わずに）、メインメニュー画面Ｍ１に可変文言を表示させることができる。
【００７６】
次に、本発明の第３実施形態について説明する。第３実施形態については、主として、第１及び第２実施形態とは異なる点を説明し、第１及び第２実施形態と同様の構成について同じ符号を付し、説明を省略する。第３実施形態について特に説明しない点については、第１及び第２実施形態についての説明が適宜適用される。第３実施形態においても、第１及び第２実施形態と同様の効果が奏される。
【００７７】
図９は、第３実施形態の携帯電話機１”における文言データの表示処理に係る機能の機能ブロック図（図３対応図）である。図１０は、第３実施形態の携帯電話機１”における、メインメニュー画面Ｍ１への可変文言の表示処理の一例を示す図（図６対応図）である。
【００７８】
第３実施形態の携帯電話機１”は、第１実施形態の携帯電話機１及び第２実施形態の携帯電話機１”に比して、呼出し番号決定部２０６及び２１３が、それぞれメインメニューソフトウエア２００側及びアプリ２１０側に（つまり両方に）設けられている点、並びに呼出し番号通知部がメインメニューソフトウエア２００側及びアプリ２１０側のいずれにも設けられていない点が主として異なる。また、これに起因して、メインメニューソフトウエア２００の文言データ選択部２０４及びアプリ２１０のアプリ制御部２１１における呼出し番号を取得する処理が異なる。その他の構成は、第１及び第２実施形態と同様である。
【００７９】
図９に示すように、第３実施形態の携帯電話機１”におけるメインメニューソフトウエア２００は、ソフトウエア情報表示部２０１、ソフトウエア選択部２０２、ソフトウエア起動部２０３、文言データ選択部２０４及び文言データ表示部２０５に加えて、呼出し番号決定部２０６を備える。第３実施形態における呼出し番号決定部２０６は、第２実施形態における呼出し番号決定部２０６と同様の構成を有するため、その構成の説明を省略する。
【００８０】
また、アプリ２１０は、アプリ制御部２１１と、呼出し番号決定部２１３とを備える。第３実施形態における呼出し番号決定部２１３は、第１実施形態における呼出し番号決定部２１３と同様の構成を有するため、その構成の説明を省略する。
一方、呼出し番号通知部は、メインメニューソフトウエア２００側及びアプリ２１０側のいずれにも設けられていない。
【００８１】
次に、図９、図１０などを参照しながら、第３実施形態におけるメインメニュー画面Ｍ１への可変文言の表示処理の一例について説明する。
図９及び図４（ａ）に示すように、ＬＣＤ表示部２１には、ソフトウエア情報表示部２０１によってメインメニュー画面Ｍ１が表示されている。ユーザは、操作キー群１１を操作してアプリ情報Ｍ１２を選択するためのカーソルを、「医学事典」アプリの表示Ｍ１２ａに位置させる。カーソルが当該表示Ｍ１２ａに位置すると、図１０に示すように、ソフトウエア選択部２０２は、カーソルが位置する「医学事典」アプリの表示Ｍ１２ａを選択する（ステップＳ３０１）。
【００８２】
図９及び図１０に示すように、メインメニューソフトウエア２００の文言データ選択部２０４は、ソフトウエア選択部２０２によって選択された「医学事典」アプリの表示Ｍ１２ａに基づいて、呼出し番号決定部２０６に、可変文言の呼出し番号の決定を要求する。呼出し番号決定部２０６は、文言データ選択部２０４からの可変文言の呼出し番号の決定の要求に対して、該当する呼出し番号を文言データ選択部２０４に通知する。本処理例においては、文言データ選択部２０４は、医学事典及び立冬に関連する文言に対応する呼出し番号「１」を通知する（図４（ｂ）参照）。
【００８３】
続いて、メインメニューソフトウエア２００の文言データ選択部２０４は、可変文言ＤＢ２２０にアクセスし、呼出し番号「１」に基づいて、対応する可変文言データを取得する。本処理例においては、文言データ選択部２０４は、呼出し番号「１」に対応する「今日は立冬です。風邪に気をつけて！」という可変文言を取得する（ステップＳ３０２）。
【００８４】
メインメニューソフトウエア２００の文言データ表示部２０５は、文言データ選択部２０４によって取得された可変文言「今日は立冬です。風邪に気をつけて！」をＬＣＤ表示部２１に表示させる（ステップＳ３０３）。これにより、ユーザは、メインメニュー画面Ｍ１の文言表示領域Ｍ１３において当該可変文言を視認することができる。
【００８５】
次に、ユーザが「医学事典」アプリを起動させた場合における可変文言の表示処理について説明する。
ユーザは、操作キー群１１を操作してアプリ情報Ｍ１２を選択するためのカーソルを、「医学事典」アプリ２１０の表示Ｍ１２ａに位置させ、当該表示Ｍ１２ａを選択する。そして、「医学事典」アプリ２１０の表示Ｍ１２ａの起動指示操作を行うと、「医学事典」アプリ２１０が起動される（ステップＳ３０４）。
【００８６】
「医学事典」アプリ２１０の起動後、アプリ制御部２１１は、呼出し番号決定部２１３に対して呼出し番号の決定を要求する。呼出し番号決定部２１３は、アプリ制御部２１１から呼出し番号の決定を要求されると、所定のロジックに基づき、呼出し番号を決定すると共に、決定された呼出し番号をアプリ制御部２１１に通知する。本処理例においては、呼出し番号決定部２１３は、医学事典及び立冬に関連する文言に対応する呼出し番号「１」を決定する（図４（ｂ）参照）。
【００８７】
続いて、アプリ２１０のアプリ制御部２１１は、可変文言ＤＢ２２０にアクセスし、呼出し番号に基づいて、対応する可変文言を取得する（ステップＳ３０５）。ここでは、呼出し番号「１」に対応する「今日は立冬です。風邪に気をつけて！」という文言を取得する。
【００８８】
アプリ２１０のアプリ制御部２１１は、取得された可変文言（「今日は立冬です。風邪に気をつけて！」）をＬＣＤ表示部２１に表示させる（ステップＳ３０６）。これにより、ユーザは、アプリ起動画面Ｍ２において当該可変文言を視認することができる。
【００８９】
以上の説明のように、第３実施形態の携帯電話機１”によれば、第１実施形態の携帯電話機１及び第２実施形態の携帯電話機１’と同様の効果が奏される。また、第１及び第２実施形態とは異なり、メインメニューソフトウエア２００とアプリ２１０との間で、呼出し番号に関するデータのやり取りが行われないため、可変文言の表示に関する処理速度が速くなる。
【００９０】
以上、本発明の実施形態について説明したが、本発明は前述した実施形態に制限されるものではなく、適宜変更が可能である。
例えば、前記実施形態においては、アプリ情報Ｍ１２は、電子機器の起動時に表示されるメインメニュー画面Ｍ１に表示されているが、本発明はこれに制限されず、メインメニュー画面Ｍ１よりも１階層又は複数階層下のメニュー画面にアプリ情報Ｍ１２を表示させる場合にも適用することができる。
【００９１】
記憶部（メモリ）４４に記憶されている文言データの中から所定の文言データを選択する場合の「所定の条件」は、特に制限されない。例えば、本発明に係る携帯電話機がＧＰＳ（Ｇｌｏｂａｌ  ｐｏｓｉｔｉｏｎｉｎｇ  ｓｙｓｔｅｍ）受信部を備えている場合には、携帯電話機の位置情報を所定の条件として利用することができる。
また、関連情報は、文言データに制限されず、その内容も、特に制限されない。
【００９２】
前記実施形態における連結部４は、表示部側筐体３と操作部側筐体２とを開閉軸を中心に開閉可能に連結するいわゆる１軸ヒンジ機構を備えているが、これに制限されず、連結部４は、表示部側筐体３と操作部側筐体２とを開閉軸を中心に開閉可能に連結すると共に、該開閉軸に直交する回動軸を中心に回動可能に連結するいわゆる２軸ヒンジ機構を備えていてもよい。
【００９３】
また、携帯電話機１は、連結部４により折り畳み可能な形式に制限されず、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（水平回転）式や、操作部側筐体２と表示部側筐体３とが一つの筐体に配置され連結部を有さない形式（ストレートタイプ）でもよい。
【００９４】
本発明の電子機器は、携帯電話機以外の携帯電子機器に適用することができ、また、携帯電子機器以外の電子機器にも適用することができる。
携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
携帯電子機器以外の電子機器としては、例えば、電子辞書、電卓、電子手帳、デジタルカメラ、ビデオカメラ、ラジオ等が挙げられる。
【符号の説明】
【００９５】
１、１’、１”  携帯電話機（電子機器）
２  操作部側筐体
３  表示部側筐体
４  連結部
１１  操作キー群（操作部）
２１  ＬＣＤ表示部（表示部）
４４  メモリ（記憶部）
４５  ＣＰＵ
２００  メインメニューソフトウエア
２０１  ソフトウエア情報表示部
２０２  ソフトウエア選択部
２０３  ソフトウエア起動部
２０４  文言データ選択部（関連情報選択部）
２０５  文言データ表示部（関連情報表示部）
２１０  アプリ（アプリケーションソフトウエア）
２２０  可変文言ＤＢ
Ｍ１  メインメニュー画面
Ｍ１２  アプリ情報
Ｍ２  アプリ起動画面
【図１】
2013066217.tif 000003
【図２】
2013066217.tif 000004
【図３】
2013066217.tif 000005
【図４】
2013066217.tif 000006
【図５】
2013066217.tif 000007
【図６】
2013066217.tif 000008
【図７】
2013066217.tif 000009
【図８】
2013066217.tif 000010
【図９】
2013066217.tif 000011
【図１０】
2013066217.tif 000012
【図１１】
2013066217.tif 000013